(57)【要約】【課題】ハウジング内に長いカードを挿入時、長いカードが手前側のコンタクトに擦ることがないように、ハウジング内に長いカードは上方へ、短いカードは下方へ振分けて挿入でき、長いカードをカード挿入口部でも手前側のコンタクトに擦ることがない高さ位置に支持できる、異種サイズの２種類のカードが使用可能なカードコネクタを提供する。【解決手段】カード挿入口部に、ハウジング３内に挿入されたカードがいずれのカードかを選別し、長いカード１００は下方へ、短いカード２００は上方へ振分けるカードセレクタ７を配備する。カードセレクタ７は、短いカードと長いカードの横幅の違いを利用し、長く幅狭のカード挿入時は初期位置でハウジングの天板２ａとの間にそのカードが挿入可能な上部カード挿入口３５を形成する。短く幅広のカード挿入時は押上げられてハウジングの底板１ａとの間にそのカードが挿入可能な下部カード挿入口３６を形成する。【選択図】  図２
2006032120.tif 000002
【特許請求の範囲】
【請求項１】
第１のカードと第１のカードより長さが長く横幅が狭い第２のカードとのサイズの異なる２種類のカードが挿入可能なハウジング内に、第１のカードの電極と接触させて電気的に接続させる第１コンタクトと、第２のカードの電極と接触させて電気的に接続させる第２コンタクトとが、カード挿入方向に沿って手前側と奥側に前後２列に配備されているカードコネクタにおいて、
ハウジング内の第１コンタクトより手前側のカード挿入口部に、カード挿抜方向の移動を規制し上下移動を許容して配備されるカードセレクタを備え、
第１のカードの横幅より広い間隔を設けてカード幅方向で対向させる脚部を左右端部に有し、ハウジング内に第１及び第２のカードが挿入されていない時、左右の脚部によって第１コンタクトの頂点より高い初期位置でカード挿入口部に横架支持され、ハウジングの天板との間に第２のカードが挿入可能な上部カード挿入口を形成する上部カード挿入口形成板部と、
上部カード挿入口形成板部の前端から第２のカードの横幅内で前下がり傾斜状に突出されてハウジング内に第２のカードが挿入された時、第２のカードを押上げて上部カード挿入口に導入する導入ガイド部と、
左右の脚部の下端から上部カード挿入口形成板部と平行に第１のカードの横幅内に突出される突片部と、
左右の突片部の前端から前上がり傾斜状に突出され、ハウジング内に第１のカードが挿入された時、第１のカードに左右の突片部が乗上る押上げ位置にカードセレクタを押上げる押上げガイド部と、をカードセレクタに設け、
ハウジング内に第１のカードが挿入された時、押上げ位置に押上げられたカードセレクタとハウジングの底板との間に第１のカードが挿入可能な下部カード挿入口を形成するように構成したことを特徴とするカードコネクタ。
【請求項２】
絶縁材料からなり底板及び側壁を有するボディと天板を有する板金製のカバーとでハウジングを構成すると共に、カードセレクタを導電材料で形成し、ハウジングの天板にカードセレクタを常時下方に付勢する初期位置復帰用の左右一対のバネ部を形成する請求項１に記載のカードコネクタ。
【請求項３】
ハウジング内に第１のカードが挿入され、カードセレクタが押上げ位置に押上げられた時、左右の押上げガイド部の先端部をハウジングの天板に下方から押当てることによって、左右の押上げガイド部にカードセレクタの初期位置復帰用のバネ機能を持たせるように構成する請求項２に記載のカードコネクタ。
【請求項４】
カード幅方向に延びるセレクタ軸を備え、セレクタ軸の外周面の一部がカードセレクタの左右の突片部より下方に突出する状態で軸周方向に回転可能にセレクタ軸をカードセレクタの後側に横架保持し、ハウジング内に第１のカードが挿入され、押上げ位置に押上げられたカードセレクタを第１のカードが通過する時、第１のカードに対してセレクタ軸の外周面を押付けるように構成する請求項２又は３に記載のカードコネクタ。
【発明の詳細な説明】
【技術分野】
【０００１】
本発明は、メモリーカードと各種電子機器の基板とを電気的に接続するためのカードコネクタの中で、サイズの異なる２種類のカードが使用可能なカードコネクタに関する。
【背景技術】
【０００２】
各種メモリーカードの中で、例えばＳＤメモリーカードとメモリースティック（メモリースティックがＳＤカードに対して長さが長く、厚さが厚く、横幅が狭い。）のように、長さと、厚さ及び横幅（断面形状）が異なる２種類のカードが使用可能なカードコネクタでは、これら２種類のカードを挿入可能にハウジングが構成されると共に、ハウジング内に短いカードの電極と接触させて電気的に接続させるコンタクトと長いカードの電極に接触させて電気的に接続させるコンタクトとが、カード挿入方向に沿って手前側と奥側に前後２列に配備されている（例えば、「特許文献１」参照。）。
【０００３】
この種カードコネクタにおいて、ハウジング内に長いカードが挿入された時、長いカードが短いカード用コンタクトに乗上がって擦るのを防止するため、ハウジング内にカード挿入方向に向かって上り傾斜の傾斜面部を備え、短いカードは傾斜面部に当接させることなく手前側のコンタクトと短いカードの電極が電気接続されるカード装着位置に挿入すると共に、長いカードは傾斜面部に当接させて奥側のコンタクトに擦ることがない高さ位置に押上げて、奥側のコンタクトと長いカードの電極が電気接続されるカード装着位置に挿入する。要するに、長いカードと短いカードをハウジング内に上下に振分けて挿入する従来技術があった（例えば、「特許文献２」参照。）。
【特許文献１】特開２００２−１６４１２４号公報
【特許文献２】特開２００３−２２９２０６号公報
【発明の開示】
【発明が解決しようとする課題】
【０００４】
上記従来技術は、手前側のコンタクトより奥側では、長いカードを手前側のコンタクトに擦ることがない高さ位置に支持できたが、手前側のコンタクトよりさらに手前側のカード挿入口部では、短いカードの挿入経路となるため、長いカードを手前側のコンタクトに擦ることがない高さ位置に支持することができず、カード装着状態で、長いカードのカード挿入口部側が下がり、挿入端部側が上がって、奥側のコンタクトと長いカードの電極との接触不良を招いたり、長いカードの下面が手前側のコンタクトと接触するという問題があった。
【０００５】
本発明は上記のような事情に鑑みてなされたもので、ハウジング内に長いカードが挿入された時、長いカードが手前側のコンタクトに擦ることがないように、長いカードと短いカードをハウジング内に上下に振分けて挿入できると共に、ハウジング内に長いカードが挿入された時、長いカードをカード挿入口部でも手前側のコンタクトに擦ることがない高さ位置に支持できる、サイズの異なる２種類のカードが使用可能なカードコネクタを提供することを目的としている。
【課題を解決するための手段】
【０００６】
請求項１に記載の本発明に係るカードコネクタは、第１のカードと第１のカードより長さが長く横幅が狭い第２のカードとのサイズの異なる２種類のカードが挿入可能なハウジング内に、第１のカードの電極と接触させて電気的に接続させる第１コンタクトと、第２のカードの電極と接触させて電気的に接続させる第２コンタクトとが、カード挿入方向に沿って手前側と奥側に前後２列に配備されているカードコネクタにおいて、ハウジング内の第１コンタクトより手前側のカード挿入口部に、カード挿抜方向の移動を規制し上下移動を許容して配備されるカードセレクタを備え、第１のカードの横幅より広い間隔を設けてカード幅方向で対向させる脚部を左右端部に有し、ハウジング内に第１及び第２のカードが挿入されていない時、左右の脚部によって第１コンタクトの頂点より高い初期位置でカード挿入口部に横架支持され、ハウジングの天板との間に第２のカードが挿入可能な上部カード挿入口を形成する上部カード挿入口形成板部と、上部カード挿入口形成板部の前端から第２のカードの横幅内で前下がり傾斜状に突出されてハウジング内に第２のカードが挿入された時、第２のカードを押上げて上部カード挿入口に導入する導入ガイド部と、左右の脚部の下端から上部カード挿入口形成板部と平行に第１のカードの横幅内に突出される突片部と、左右の突片部の前端から前上がり傾斜状に突出され、ハウジング内に第１のカードが挿入された時、第１のカードに左右の突片部が乗上る押上げ位置にカードセレクタを押上げる押上げガイド部と、をカードセレクタに設け、ハウジング内に第１のカードが挿入された時、押上げ位置に押上げられたカードセレクタとハウジングの底板との間に第１のカードが挿入可能な下部カード挿入口を形成するように構成したことを特徴とするカードコネクタ。
【０００７】
上記構成のカードコネクタによれば、カード挿入口部においてカードセレクタが、ハウジング内に挿入されたカードがいずれのカードかを選別し、第１のカードは下方へ、第２のカードは上方へ振分ける。そして、カードセレクタは、第１コンタクトの頂点より高い位置に第２のカードを挿入する上部カード挿入口を形成しているため、第２のカードは、第１コンタクトに擦ることなくこれを通過し、第２コンタクトと第２のカードの電極が電気接続されるカード装着位置に挿入可能となる。またカード装着位置に挿入された第２のカードは、カードセレクタの上部カード挿入口形成板部によって、第１コンタクトよりさらに手前側のカード挿入口部でも下面が支持（下動規制）されるため、カード挿入口部側が下がり、挿入端部側が上がることなくハウジング内に収容可能となり、第２コンタクトと第２のカードの電極との接触不良を招いたり、第２のカードの下面が第１コンタクトに接触することを防止できる。またカードセレクタは他方で、ハウジング内に第１のカードが挿入された時には、第１のカードに左右の突片部が乗上る押上げ位置に押上げられて、ハウジングの底面との間に第１のカードが挿入可能な下部カード挿入口を形成するため、第１のカードは、下部カード挿入口から第１コンタクトと第１のカードの電極が電気接続されるカード装着位置に挿入可能となる。
【０００８】
請求項２に記載の本発明に係るカードコネクタは、請求項１に記載の本発明に係るカードコネクタに、絶縁材料からなり底板及び側壁を有するボディと天板を有する板金製のカバーとでハウジングを構成すると共に、カードセレクタを導電材料で形成し、ハウジングの天板にカードセレクタを常時下方に付勢する初期位置復帰用の左右一対のバネ部を形成する点を付加したものである。
【０００９】
上記構成のカードコネクタによれば、第１のカードや第２のカードに帯電している静電気をカードセレクタ及びハウジングのカバーを介して、例えばカードコネクタの実装基板のアースパターンに放電するなどの静電対策が実現可能となる。またハウジング内に第１のカードが挿入された時、第１のカードによって押上げ位置に押上げられ、第１カードが挿入されている間、第１のカードによって押上げ位置に支持されるカードセレクタは、第１のカードが抜去られることによって、自重でも初期位置に下動復帰させることかできるが、初期位置復帰用のバネ部の付勢力によって強制的に初期位置に下動復帰させることによって、その初期位置への下動復帰を確実に行わせることができると共に、カードセレクタのガタツキなども抑えて円滑に上下移動させることができ、カードセレクタの動作性能を向上させることができる。さらに左右の脚部の突片部が、カード装着位置に挿入された第１のカードを上方から押えるため、第１のカードの浮上がりが規制され、第１のカードの電極と第１コンタクトとの接触信頼性を向上させることができる。
【００１０】
請求項３に記載の本発明に係るカードコネクタは、請求項２に記載の本発明に係るカードコネクタに、ハウジング内に第１のカードが挿入され、カードセレクタが押上げ位置に押上げられた時、左右の押上げガイド部の先端部をハウジングの天板に下方から押当てることによって、左右の押上げガイド部にカードセレクタの初期位置復帰用のバネ機能を持たせるように構成する点を付加したものである。
【００１１】
上記構成のカードコネクタによれば、カバーのバネ部による下向きの付勢力を上部カード挿入口形成板部の上面左右端部に付勢すると、ハウジング内に第１のカードが挿入された時、第１のカードによって押上げ位置に押上げられたカードセレクタは、カバーの左右のバネ部と左右の押上げガイド部のバネ機能によって、略四隅部が下方に付勢されるため、カードセレクタの押上げ位置での姿勢及び押上げ位置から初期位置への下動姿勢を安定させ、カードセレクタの動作性能及び第１のカードの浮上がり規制性能をさらに向上させることができる。
【００１２】
請求項４に記載の本発明に係るカードコネクタは、請求項２又は３に記載の本発明に係るカードコネクタに、カード幅方向に延びるセレクタ軸を備え、セレクタ軸の外周面の一部がカードセレクタの左右の突片部より下方に突出する状態で軸周方向に回転可能にセレクタ軸をカードセレクタの後側に横架保持し、ハウジング内に第１のカードが挿入され、押上げ位置に押上げられたカードセレクタを第１のカードが通過する時、第１のカードに対してセレクタ軸の外周面を押付けるように構成する点を付加したものである。
【００１３】
上記構成のカードコネクタによれば、ハウジング内に第１のカードが挿入され、押上げ位置に押上げられたカードセレクタを第１のカードが通過する時、第１のカードに対してカードセレクタの左右の突片部を押付ける構成であっても、第１のカードとカードセレクタとの滑り摩擦、すなわち、第１のカードの挿入抵抗は、第１のカードを押戻すような挿入抵抗に比べて非常に小さいが、ハウジング内に第１のカードが挿入された時、カードセレクタが第１のカードを押す部分を軸周方向に回転可能なセレクタ軸で構成し、第１のカードとカードセレクタとの滑り摩擦を転がり摩擦に変えることによって、第２のカードには掛からず第１のカードだけに掛かる挿入抵抗（挿入力）をさらに小さくすることができる。このため、第１のカードと第２のカードとの挿入力に差を殆ど生じさせることがなく、第１のカードと第２のカードとが略同じ挿入力でハウジング内に挿入可能となる。
【発明の効果】
【００１４】
以上のように本発明によれば、ハウジング内に第２のカードが挿入された時、第２のカードが第１コンタクトに擦ることがないように、第２のカードと第１のカードをハウジング内に上下に振分けて挿入できると共に、ハウジング内に第２のカードが挿入された時、第２のカードをカード挿入口部側でも第１コンタクトに擦ることがない高さ位置に支持できる、サイズの異なる２種類のカードが使用可能なカードコネクタを提供することができる。しかも、このようなカードコネクタが、１つの部品（カードセレクタ）を備えるだけで得ることができるため、構造が簡易で、部品点数も少なく、コストを安く抑えて提供することができる。
【発明を実施するための最良の形態】
【００１５】
以下、本発明の実施形態を図面に基づいて説明する。図１は本発明の実施形態に係るカードコネクタの外観斜視図、図２は同カードコネクタのカバーを取外した状態の外観斜視図（ボディの外観斜視図）、図３はカードセレクタの外観図、図４はカードセレクト機構部の平面説明図、図５は同カードセレクト機構部の側面説明図、図６は同カードセレクト機構部の正面説明図であり、本実施形態に係るカードコネクタは、第１のカード１００とこの第１のカード１００より長さが長く横幅が狭く厚さが厚い第２のカード２００とのサイズの異なる２種類のメモリーカードを使用対象とするもので、図４乃至図６に、第１のカード１００の一例として、サイズ（ｍｍ）：長さ３２×横幅２４×厚さ２．１の公知のＳＤメモリーカードを示し、第２のカード２００の一例として、サイズ（ｍｍ）：長さ５０×横幅２１．５×厚さ２．８の公知のメモリースティックを示している。また図５の（（ａ）及び図６の（ａ）は第２のカード２００の挿入状態を示す、図５の（ｂ）及び図６の（ｂ）は第１のカード１００の挿入状態を示している。
【００１６】
図１及び図２に示す如く、合成樹脂などの絶縁材料からなり底板１ａ及び左右側壁１ｂ，１ｃ、後側壁１ｄを有する絶縁性のボディ１と板金製で天板２ａ及び左右側板２ｂ，２ｃを有する導電性のカバー２とによって薄い矩形箱状のハウジング３を構成し、ハウジング３は前側面が開口されて第１のカード１００と第２のカード２００とが挿入可能なスロット（カード挿入空間）４を形成している。ハウジング３内（スロット４）には第１のカード１００に設けられる複数の電極に接触させて電気的に接続させる複数の第１コンタクト５と第２のカード２００に設けられる複数の電極に接触させて電気的に接続させる複数の第２コンタクト６とがカード挿入方向に沿って手前側と奥側に前後２列に配備されると共に、第１コンタクト５よりさらに手前側のカード挿入口部にはスロット４に挿入されたカードがいずれのカードかを選別し、第１のカード１００は下方へ、第２のカード２００は上方へ振分けるカードセレクタ７が配備されている。さらにハウジング３内にはスロット４に挿入された第１のカード１００又は第２のカード２００をそれぞれのカード装着位置に保持し、かつ、それぞれのカード装着位置からイジェクト（排出）するためのプッシュイン／プッシュアウト型のイジェクト機構を構成するスライダ８が第１コンタクト５及び第２コンタクト６の左側でカード挿抜方向に往復移動自在に配備されている。
【００１７】
前記ハウジング３は電子機器のプリント配線基板上に表面実装することによって、左右側板２ｂ，２ｃの下端前後部からハウジング３の底面四隅外側に略面一に突出形成されるカバー２の各脚部９がプリント配線基板のアースパターンに締結手段による圧着や半田接続によって電気的に接続されると共に、ハウジング３の底面に略面一に露出される各第１コンタクト５の前端部とハウジング３の底面後端外側に略面一に突出される各第２コンタクト６の後端部とがプリント配線基板の対応するパターンに半田接続によって電気的に接続され、第１のカード１００とプリント配線基板とが各第１コンタクト５を介して電気的に接続され、第２のカード２００とプリント配線基板とが各第２コンタクト６を介して電気的に接続される。
【００１８】
前記天板２ａにはハウジング３内のカードセレクタ７を常時下方に付勢する初期位置復帰用の左右一対の板状バネ部１０ａ、１０ｂが前部左右端部から切起し形成され、また第２のカード２００の左右側面をカード挿抜方向に案内する左右一対の上部ガイド面１１ａ，１１ｂが左右のバネ部１０ａ，１０ｂの内側から対向状に切起し形成されると共に、スライダ８の配備側とは反対側の右側の上部ガイド面１１ａ，１１ｂの後方にもこれと同じ上部ガイド面１２が直列に切起し形成されている。
【００１９】
前記各第１コンタクト５及び各第２コンタクト６は細長い導電性の金属端子からなり、各第１コンタクト５は底板１ａの略中央部に形成された第１コンタクト取付け部１３に横並び状態で取付けられ、各第２コンタクト６は底板１ａの後部に形成された第２コンタクト取付け部１４に横並び状態で取付けられている。具体的には、第１コンタクト取付け部１３は底板１ａの略中央部内表面に直接に形成されたカード挿入方向に平行な複数の細長い第１コンタクト取付け溝１３ａを有し、各第１コンタクト５は第１コンタクト取付け溝１３ａに前半部が圧入固定され、後半部が上下に弾性変位可能に後上がり傾斜状にスロット４の略中央底部に突出され、その突出端部（各第１コンタクト５の後端）に第１のカード１００の電極に下方から押当てる第１接点部５ａが形成されている。各第１コンタクト５の前端は第１コンタクト取付け部１３から手前側の底板１ａに形成された切欠き部１５からハウジング３の底面に面一に露出されている。他方、第２コンタクト取付け部１４は第１コンタクト取付け部１３から奥側の底板１ａを部分的に厚肉に形成することによって設けられる上げ底部１６とカード挿入方向に平行な複数の細長い第２コンタクト取付け溝１７ａを上面に有する第２コンタクト取付けブロック１７とからなり、第１コンタクト５の頂点（第１接点部５ａの頂上）より僅かに高い高さ位置に形成された上げ底部１６の平坦表面の後端部、すなわち、上げ底面１６ａの後端部に第２コンタクト取付けブロック１７が突出形成されており、各第２コンタクト６は第２コンタクト取付け溝１７ａに後半部が圧入固定され、前半部が上下に弾性変位可能に前上がり傾斜状にスロット４の最奥側上部に突出され、その突出端部（各第２コンタクト６の前端）に第２のカード２００の電極に下方から押当てる第２接点部６ａが形成されている。各第２コンタクト６の後端は後側壁１ｄに形成された複数の第２コンタクト取出し口１８からハウジング３の底面後端外側に略面一に突出されている。上げ底面１６ａの前部は前下がり傾斜（カード挿入方向に向かって上り傾斜）状の傾斜面１６ｂに形成され、第１コンタクト取付け部１３の後端に傾斜面１６ｂの前端（傾斜下端）が段付きで連設されている。
【００２０】
そして、第１のカード１００は複数の電極が設けられている挿入端部側下面が第２コンタクト６より手前側の第１コンタクト５と対向し、第１コンタクト５の接点部５ａが第１のカード１００の電極に下方から押当てられて電気的に接続される挿入位置がスロット４におけるカード装着位置となり、第２のカード２００は複数の電極が設けられている挿入端部側下面が第１コンタクト５より奥側の第２コンタクト６と対向し、第２コンタクト６の接点部６ａが第２のカード２００の電極に下方から押当てられて電気的に接続される挿入位置がスロット４におけるカード装着位置となり、スロット４における第２のカード２００（第１のカード１００）のカード装着位置が第１のカード１００（第２のカード２００）のカード装着位置よりカード挿入方向に沿って奥側（手前側）となる。またカード装着位置に挿入された第１のカード１００は底板１ａの内表面に下面が当接する高さ位置がスロット４におけるカード装着高さとなり、カード装着位置に挿入された第２のカード２００は上げ底面１６ａに下面が当接する高さ位置、すなわち、第１のコンタクト５の頂点より僅かに高く、下面が第１コンタクト５の頂点と接触することがない高さ位置がスロット４におけるカード装着高さとなり、スロット４における第２のカード２００（第１のカード１００）のカード装着高さが第１のカード１００（第２のカード２００）のカード装着高さより高く（低く）なる。
【００２１】
前記左右側壁１ｂ，１ｃの前端には左右一対の口板部１９ａ，１９ｂが内側に向かって対向状に突出形成され、左右の口板部１９ａ，１９ｂの対向端面下部が第１のカード１００の左右側面に沿うように段付き溝状に外側に窪まされ、ハウジング３の前側面に開口形状が凸形のカード挿入口２０を開口形成している。またカード挿入口２０の下部幅広部分の横幅及び高さが第１のカード１００の横幅及び厚さ、すなわち、図６の（ｂ）に示す第１のカード１００の断面形状より僅かに大きくなり、かつ、カード挿入口２０の上部幅狭部分の横幅が第２のカード２００の横幅より僅かに大きくなり、かつ、カード挿入口２０の下部幅広部分と上部幅狭部分を合わせたカード挿入口２０の全高が第２のカード２００の厚さより厚く、しかも、第２のカード２００がそのカード装着高さ位置に押上げ可能な高さにカード挿入口２０は形成され、第１のカード１００の左右側面をカード挿抜方向に案内する左右一対の下部ガイド面２１ａ，２１ｂが左右の口板部１９ａ，１９ｂの対向端面下部に形成されると共に、第２のカード２００の左右側面をカード挿入方向に案内する左右一対の上部ガイド面２２ａ，２２ｂが左右の口板部１９ａ，１９ｂの対向端面上部に形成されている。
【００２２】
前記左側壁１ｂには左口板部１９ａと同じ形状で第１コンタクト５とカードセレクタ７の間に向かって突出して左口板部１９ａの下部ガイド面２１ａ及び上部ガイド面２２ａと同じ下部ガイド面２３及び上部ガイド面２４を左口板部１９ａの奥側にも形成するガイド壁２５が設けられている。このガイド壁２５と後側壁１ｄの間にスライダ８が配備されて前端がガイド壁２５に当接する初期位置と後端が後側壁１ｄに当接する最押込み位置との間で底板１ａの内表面と左側壁１ｂに案内されてカード挿抜方向に往復移動できるようになっている。スライダ８にはこの前部の断面形状を左口板部１９ａ及びガイド壁２５と略同じ形状にするための切欠き部２６が形成され、左口板部１９ａ及びガイド壁２５の下部ガイド面２１ａ，２３及び上部ガイド面２２ａ，２４と略同じ下部ガイド面２７及び上部ガイド面２８が左側壁１ｃと対向するスライダ８の内側面前部に形成されると共に、スライダ８が初期位置にある時、第１のカード１００の挿入端面と当接して第１のカード１００の挿入に伴いスライダ８をカード挿入方向に押込むための第１のカード受止め面２９がスライダ８に形成されている。また下部ガイド面２７以外のスライダ８の内側面は上部ガイド面２８と面一に形成されてその上部ガイド面２８と同じ機能を発揮すると共に、スライダ８にはこの後部内側面から上げ底面１６ａの左端部の上に突出されスライダ８が初期位置にある時、第２のカード２００の挿入端部の左角部に設けられている角落し部の角落し領域に嵌合して第２のカード２００の挿入に伴いスライダ８をカード挿入方向に押込むための第２のカード受止め部３０が形成されている。そして、第１のカード１００の左側面をカード挿抜方向に案内する複数の下部ガイド面２１ａ、２３、２７がカード挿入口２０からスロット４の第１のカード１００の挿入位置にその挿入高さ位置でカード挿入方向に直列形成されると共に、第２のカード２００の左側面をカード挿抜方向に案内する複数の上部ガイド面２２ａ、１１ａ、２４、２８がカード挿入口２０からスロット４の第２のカード２００の挿入位置にその挿入高さでカード挿入方向に直列形成されている。
【００２３】
他方、右側壁１ｃの中間部には左側壁１ｂのガイド壁２５及びスライダ８の前部内側面と対向して第１のカード１００の右側面をカード挿抜方向に案内する前部ガイド面３１が内側に向かって突出形成されると共に、前部ガイド面３１より奥側の右側壁１ｃには前部ガイド面３１よりさらに内側に突出されてスライダ８の後部内側面と対向して第２のカード２００の右側面をカード挿抜方向に案内する後部ガイド面３２が形成されている。そして、第１のカード１００の右側面をカード挿抜方向に案内する複数のガイド面２１ｂ、３１がカード挿入口２０からスロット４の第１のカード１００の挿入位置にその挿入高さ位置でカード挿入方向に直列形成されると共に、第２のカード２００の右側面をカード挿抜方向に案内する複数のガイド面２２ｂ、１１ｂ、１２、３２がカード挿入口２０からスロット４の第２のカード２００の挿入位置にその挿入高さでカード挿入方向に直列形成されている。
【００２４】
そして、第１のカード１００はカード挿入口２０の下部幅広部分からスロット４に挿入することによって、下面が底板１ａの内表面に当接するカード装着高さでカード装着位置に挿入可能となり、第２のカード２００はカード挿入口２０の上部幅狭部分とその下側の下部幅広部分の中央部からスロット４に挿入することによって、下面が底板１ａの内表面に当接する高さ位置から下面が上げ底面１６ａに当接するカード装着高さ、すなわち、第１のコンタクト５の頂点より僅かに高く、下面が第１コンタクト５の頂点と接触することがない高さ位置に押上げ可能となり、カード装着位置に挿入可能となる。
【００２５】
図３乃至図６に示す如く、カードセレクタ７は薄板金属を打抜き加工及び曲げ加工することによって形成されて導電性を有し、第１のカード１００の横幅より広い間隔を設けてカード幅方向で対向させるＬ字形の脚部７１ａ，７１ｂを左右端部に有するセレクタ本体である横長平板状の上部カード挿入口形成板部７２と、上部カード挿入口形成板部７２の前端中間部から前下がり傾斜（カード挿入方向に向かって上り傾斜）状に突出される導入ガイド部７３と、左右の脚部７１ａ，７１ｂの上部カード挿入口形成板部７２と平行な下端片から面一に第１のカード２００の横幅外で第１のカード１００の横幅内に突出される突片部７４ａ，７４ｂと、左右の突片部７４ａ，７４ｂの前端から前上がり傾斜（カード挿入方向に向かって下り傾斜）状に突出される押上げガイド部７５ａ，７５ｂと、を一体に設けている。
【００２６】
また、カード幅方向に延びる金属製で断面円形のセレクタ軸７６を備え、カードセレクタ７にはさらに、セレクタ軸７６の外周面下部が左右の脚部７１ａ，７１ｂの下端片及び突片部７４ａ，７４ｂより下方に突出する状態で軸周方向に回転可能に、セレクタ軸７６をカードセレクタ７の後側に横架保持するために、左右の脚部７１ａ，７１ｂの下端片から後方に向かって突出され、セレクタ軸７６の外周面下部が左右の脚部７１ａ，７１ｂの及び突片部７４ａ，７４ｂより下方に突出する状態で、セレクタ軸７６の外周面の左右端部を下側から支える上向きに開放されたフック状の軸受け部７７ａ，７７ｂと、上部カード挿入口形成板部７２の後端中間部から垂下され、左右の軸受け部７７ａ，７７ｂの先端部との間にセレクタ軸７６の外周面を前後方向から挟む前軸押え部７８と、前軸押え部７８の左右両側の上部カード挿入口形成板部７２の後端から面一に後方に向かって突出され、左右の軸受け部７７ａ，７７ｂの基部とでセレクタ軸７６の外周面を上下方向から挟む左右一対の上軸押え部７９ａ，７９ｂと、を一体に設けている。
【００２７】
前記左口板部１９ａとガイド壁２５との間の左側壁１ｂにおける後部と前記右口板部１９ｂと前部ガイド面３１との間の右側壁１ｃにおける後部にはセレクタ軸７６の左右端部を嵌込みカード挿抜方向の規制し上下方向に移動案内するガイド溝３３ａ，３３ｂが対向状に形成されている。また左右の脚部７１ａ，７１ｂの下端片及び突片部７４ａ，７４ｂより下方に突出するセレクタ軸７６の外周面下部及び軸受け部７７ａ，７７ｂの下面を上方から嵌込み、左右の脚部７１ａ，７１ｂの下端片及び突片部７４ａ，７４ｂの面一の下面を、左口板部１９ａとガイド壁２５との間及び右口板部１９ｂと前部ガイド面３１との間の底板１ａの内表面に当接可能とするために、左右のガイド溝３３ａ，３３ｂは底板１ａの内表面を少し窪ませるように下端部（溝底）が底板１ａの内表面より低位に形成されると共に、左右のガイド溝３３ａ，３３ｂの内側の底板１ａの内表面には左右の軸受け部７７ａ，７７ｂを上方から嵌込む窪み部３４ａ，３４ｂが形成されている。
【００２８】
そして、カードセレクタ７は左口板部１９ａとガイド壁２５との間の左側壁１ｂと右口板部１９ｂと前部ガイド面３１との間の右側壁１ｃとの間に嵌込まれて第１コンタクト６より手前側のカード挿入口部に配備され、カードセレクタ７の後側に横架保持されているセレクタ軸７６の左右端部が左右のガイド溝３３ａ，３３ｂに嵌込まれてカードセレクタ７のカード挿抜方向の移動を規制し上下方向に移動案内している。すなわち、カードセレクタ７は第１コンタクト６より手前側のカード挿入口部にカード挿抜方向の移動が規制され上下移動が許容された状態で配備されている。またセレクタ軸７６の左右端部の外周面に前記天板２ａに形成された初期位置復帰用の左右の板状バネ部１０ａ、１０ｂの先端部が上方から押当てられてセレクタ軸７６を介してカードセレクタ７が常時下方に付勢され、図１、図５の（ａ）、図６の（ａ）に示す如く、セレクタ軸７６の左右端部がガイド溝３３ａ，３３ｂの下端部に嵌込まれると共に、左右の軸受け部７７ａ，７７ｂが左右の窪み部３４ａ，３４ｂに上方から嵌込まれて、左右の脚部７１ａ，７１ｂの下端片及び突片部７４ａ，７４ｂの面一の下面が、左口板部１９ａとガイド壁２５との間及び右口板部１９ｂと前部ガイド面３１との間の底板１ａの内表面に当接する初期位置（最下降位置）に付勢され、カードセレクタ７がカバー２と電気的に常時接続されており、カード挿入口部を横切って上下に仕切るように、左右の脚部７１ａ，７１ｂによって左口板部１９ａとガイド壁２５との間の左側壁１ｂと右口板部１９ｂと前部ガイド面３１との間の右側壁１ｃとの間に底板１ａ及び天板２ａと平行に横架支持される上部カード挿入口形成板部７２の初期位置での高さ位置が、天板２ａと対向する上部カード挿入口形成板部７２の上面が上げ底面１６ａと同じ高さ位置となり、天板２ａと上部カード挿入口形成板部７２との間に第２のカード２００の厚さと略同じ高さを有して第２のカード２００が挿入可能な上部カード挿入口３５を形成する高さ位置に設定されている。これによって、カード装着位置に挿入された第２のカード２００をこのカード装着高さ、すなわち、第１のコンタクト５の頂点より僅かに高く、第２のカード２００の下面が第１コンタクト５の頂点と接触することがない高さ位置に支持する支持面が、第１コンタクト５より奥側の第２コンタクト取付け部１４（上げ底面１６ａ）だけでなく、初期位置の上部カード挿入口形成板部７２によって第１コンタクト５より手前側のカード挿入口部にも形成されることになる。この初期位置の上部カード挿入口形成板部７２はカード挿入口２０から見ると下部幅広部分の高さ範囲内に位置し、第１のカード１００の挿入経路内に存在している。
【００２９】
左右の脚部７１ａ，７１ｂは第１のカード１００の挿入経路の左右外側位置で対向状に設けられて上部カード挿入口形成板部７２を初期位置の高さ位置に支持しており、第１のカード１００及び第２のカード２００の挿入を妨げることがない。導入ガイド部７３は上部カード挿入口形成板部７２の前端から第２のカード２００の横幅内で前下がり傾斜（カード挿入方向に向かって上り傾斜）状に突出して設けられ、カード挿入口２０の上部幅狭部分とその下側の下部幅広部分の中央部からスロット４に挿入される第２のカード２００の挿入端部と当接して第２のカード２００をその挿入に伴い下面が底板１ａの内表面に当接する高さ位置から下面が初期位置の上部カード挿入口形成板部７２の上面に乗上がる高さ位置に押上げて上部カード挿入口３５に導入するように形成されている。導入ガイド部７３の先端の高さ位置は左右の脚部７１ａ，７１ｂの下端片及び突片部７４ａ，７４ｂの面一の下面よりも高く、かつ、左右の押上げガイド部７５ａ，７５ｂの下面よりも下方に突出しない高さ位置に設定されている。左右の突片部７４ａ，７４ｂは第１のカード１００の横幅外に位置する左右の脚部７１ａ，７１ｂの下端片がそのまま面一に第１のカード２００の横幅外で第１のカード１００の横幅内、すなわち、第２のカード２００の左右外側に張出す第１のカード１００の左右側端部と平面視で重なる位置に突出されたもので、第１のカード１００の挿入経路の左右側端部に位置して前端から押上げガイド部７５ａ，７５ｂを前上がり傾斜（カード挿入方向に向かって下り傾斜）状に突出させている。そして、左右の押上げガイド部７５ａ，７５ｂは左右の突片部７４ａ，７４ｂによって第１のカード２００の横幅外で第１のカード１００の横幅内、すなわち、第２のカード２００の左右外側に張出す第１のカード１００の左右側端部と平面視で重なる位置に前上がり傾斜（カード挿入方向に向かって下り傾斜）状に設けられ、また初期位置の左右の押上げガイド部７５ａ，７５ｂはカード挿入口２０から見ると上部幅狭部分より左右外側に張出す下部幅広部分の左右端部奥側に位置し、カード挿入口２０の下端（底板１ａの内表面）から下部幅広部分の高さより高い位置に、底板１ａの内表面に当接する左右の突片部７４ａ，７４ｂの平坦な下面を前上がり傾斜（カード挿入方向に向かって下り傾斜）状の傾斜面を立上げている。これによって、図５の（ｂ）、図６の（ｂ）に示す如く、左右の押上げガイド部７５ａ，７５ｂはカード挿入口２０の下部幅広部分からスロット４に挿入される第１のカード１００の挿入端部と当接して初期位置復帰用の左右の板状バネ部１０ａ、１０ｂの付勢力に抗してカードセレクタ７をセレクタ軸７６と共に第１のカード１００の挿入に伴い初期位置から押上げ、第１のカード１００の上面左右側端部に左右の突片部７４ａ，７４ｂが乗上げる押上げ位置にカードセレクタ７を押上げ、この押上げ位置に押上げられたカードセレクタ７と底板１ａとの間に第１のカード１００が挿入可能な下部カード挿入口３６を形成することによって、第１のカード１００が下面を底板１ａの内表面に当接するカード装着高さでカード装着位置に挿入可能となっている。
【００３０】
図３、図４に示す如く、第１のカード１００の角落しされていない挿入端部左端部と当接する左側の押上げガイド部７５ａより第１のカード１００の角落しされている挿入端部右端部と当接する右側の押上げガイド部７５ｂをカード挿入方向に沿って手前側に形成し、左右の押上げガイド部７５ａ，７５ｂを略同時に第１のカード１００の挿入端部と当接させてカードセレクタ７及びセレクタ軸７６を左右に傾けることなく押上げ可能に、左右の押上げガイド部７５ａ，７５ｂをカード挿入方向に沿って奥側と手前側に位置ずれさせて形成している。また図５、図６のに示す如く、左右の押上げガイド部７５ａ，７５ｂの初期位置での先端部の高さ位置は、カードセレクタ７が押上げ位置に押上げられた時、先端部が天板２ａに下方から押当てられ、カードセレクタ７を下方に付勢するバネ機能を発揮する高さ位置に設定されている。
【００３１】
而して、上記のように構成された本実施形態に係るカードコネクタは、スロット４（ハウジング３内）の第１コンタクト５より手前側のカード挿入口部においてカードセレクタ７が、第１のカード１００と第２のカード２００の横幅の違いによって、スロット４に挿入されたカードがいずれのカードかを選別し、第１のカード１００は下方へ、第２のカード２００は上方へ振分ける。すなわち、図４、図５の（ａ）、図６の（ａ）に示す如く、スロット４に第１のカード１００及び第２のカード２００が挿入されていない時、カードセレクタ７は初期位置復帰用の左右の板状バネ部１０ａ、１０ｂの付勢力によって初期位置に付勢され、第１のカード１００の挿入経路内に存在する上部カード挿入口形成板部７２が天板２ａとの間に上部カード挿入口３５を形成している。この状態で、図４、図５の（ａ）、図６の（ａ）に示す如く、第２のカード２００がカード挿入口２０からスロット４に挿入されると、第２のカード２００はカードセレクタ７の第２のカード２００の横幅内に位置する導入ガイド部７３によって押上げられて上部カード挿入口３５からスロット４のさらに奥側へと挿入される。これによって、第２のカード２００は第１コンタクト５の接点部６ａに下面を擦ることなくこの上方を通過し、上げ底面１６ａに乗上がって第２のカード２００のカード装着位置に挿入され、第２コンタクト６の接点部６ａと第２のカード２００の電極が電気接続され、第２のカード２００が第２コンタクト６を介してプリント配線基板と電気的に接続されて電子データの入出力が可能となる。他方、図４、図５の（ｂ）、図６の（ｂ）に示す如く、第１のカード１００がカード挿入口２０からスロット４に挿入されると、カードセレクタ７は第２のカード２００の横幅外で第１のカード１００の横幅内に位置する左右の押上げガイド部７５ａ，７５ｂによって第１のカード１００の挿入に伴いこの上面左右側端部に左右の突片部７４ａ，７４ｂが乗上げる押上げ位置に押上げられて、上部カード挿入口形成板部７２が第１のカード１００の挿入経路外に押上げられると共に、押上げ位置に押上げられたカードセレクタ７と底板１ａとの間に第１のカード１００が挿入可能な下部カード挿入口３６を形成する。これによって、第１のカード１００は下面が底板１ａの内表面に案内されて下部カード挿入口３６からカードセレクタ７の下方を通過してスロット４のさらに奥側へと挿入され、第２のカード２００のカード装着位置に挿入され、第１コンタクト５の接点部５ａと第１のカード１００の電極が電気接続され、第２のカード１００が第１コンタクト５を介してプリント配線基板と電気的に接続されて電子データの入出力が可能となる。
【００３２】
そして、スロット４のカード装着位置に挿入された第２のカード２００は、第１コンタクト５より奥側の挿入端部側の下面が上げ底面１６ａと当接し、また第１コンタクト５より手前側のカード挿入口部側の下面が初期位置のカードセレクタ７の上部カード挿入口形成板部７２と当接して、カード装着高さ、すなわち、第１のコンタクト５の頂点より僅かに高く、第２のカード２００の下面が第１コンタクト５の頂点と接触することがない高さ位置に支持されているため、カード挿入口部側が下がり、挿入端部側が上げることなくスロット４に収容でき、第２コンタクト６と第２のカード２００の電極との接触不良を招いたり、第２のカード２００の下面が第１コンタクト５に接触することがない。しかも、このことをカードセレクタ７は第１のカード１００も挿入可能に実現しているため、第１のカード１００とこの第１のカード１００より長さが長く横幅が狭く厚さが厚い第２のカード２００とのサイズの異なる２種類のメモリーカードを使用可能としている。
【００３３】
また、カードセレクタ７はセレクタ軸７６及び初期位置復帰用の左右の板状バネ部１０ａ、１０ｂを介してカバー２と電気的に常時接続され、そのカバー２がプリント配線基板のアースパターンに電気的に接続されているため、第１のカード１００や第２のカード２００に帯電している静電気をカードセレクタ７及びカバー２を介してプリント配線基板のアースパターンに放電する静電対策を実現している。またスロット４に第１のカード１００が挿入された時、第１のカード１００によって押上げ位置に押上げられ、第１カード１００が挿入されている間、第１のカード１００によって押上げ位置に支持されるカードセレクタ７は、第１のカード１００が抜去られることによって、自重でも初期位置に下動復帰させることかできるが、初期位置復帰用の左右の板状バネ部１０ａ、１０ｂの付勢力によっての強制的に初期位置に下動復帰させることによって、その初期位置への下動復帰を確実に行わせることができると共に、カードセレクタ７のガタツキなども抑えて円滑に上下移動させることができ、カードセレクタ７の動作性能を向上させることができる。さらに左右の脚部７１ａ，７１ｂの下端片及び突片部７４ａ，７４ｂより下方に突出するセレクタ軸７６の外周面が、カード装着位置に挿入された第１のカード１００を上方から押えるため、第１のカード１００の浮上がりが規制され、第１のカード１００の電極と第１コンタクト５との接触信頼性を向上させることができる。
【００３４】
さらに、スロット４に第１のカード１００が挿入された時、第１のカード１００によって押上げ位置に押上げらたカードセレクタ７は、その左右後部が前記天板２ａに形成された初期位置復帰用の左右の板状バネ部１０ａ、１０ｂによって下方に付勢されると共に、左右前部が左右の押上げガイド部７５ａ，７５ｂがバネ機能を発揮して下方に付勢され、略四隅部が下方に付勢されるため、カードセレクタ７の押上げ位置での姿勢及び押上げ位置から初期位置への下動姿勢を安定させ、カードセレクタ７の動作性能及び第１のカード１００の浮上がり規制性能をさらに向上させることができる。
【００３５】
またさらに、スロット４に第１のカード１００が挿入され、押上げ位置に押上げられたカードセレクタ７を第１のカード１００が通過する時、第１のカード１００に対してカードセレクタ７の左右の突片部７４ａ，７４ｂを押付ける構成であっても、第１のカード１００とカードセレクタ７との滑り摩擦、すなわち、第１のカード１００の挿入抵抗は、第１のカード１００を押戻すような挿入抵抗に比べて非常に小さいが、スロット４に第１のカード１００が挿入された時、カードセレクタ７が第１のカード１００を押す部分を軸周方向に回転可能なセレクタ軸７６で構成しているため、第１のカード１００とカードセレクタ７との滑り摩擦を転がり摩擦に変えることができ、第２のカード２００には掛からず第１のカード１００だけに掛かる挿入抵抗（挿入力）をさらに小さくすることができる。このため、第１のカード１００と第２のカード２００との挿入力に差を殆ど生じさせることがなく、第１のカード１００と第２のカード２００とが略同じ挿入力でスロット４に挿入することができる。
【００３６】
ところで、図２乃至図６はセレクタ軸７６付きのカードセレクタ７を示しているのに対して図７乃至図９はセレクタ軸７６がないカードセレクタ７Ａを示している。このセレクタ軸７６がないカードセレクタ７Ａはセレクタ軸７６付きのカードセレクタ７と略同じ構成を有し、同じ構成はセレクタ軸７６付きのカードセレクタ７と同じ符号を付してその説明を省略する。
【００３７】
図７乃至図９に示す如く、カードセレクタ７Ａはセレクタ軸７６がないために、セレクタ軸７６を保持するための構造（左右の軸受け部７７ａ，７７ｂ、前軸押え部７８、上軸押え部７９ａ，７９ｂ）を設けていない。また上部カード挿入口形成板部７２の左右端部と左右の脚部７１ａ，７１ｂとの角部から前方に向かって突出形成する直角に曲がった縁板部８０ａ，８０ｂを設け、この左右の縁板部８０ａ，８０ｂの前後端とボディ１との間でカードセレクタ７Ａのカード挿抜方向の移動規制が直接行われると共に、カードセレクタ７Ａの上下方向に移動案内も左右の縁板部８０ａ，８０ｂの外側面とボディ１の左右側壁１ａ，１ｂとの間で直接行われる。また前記天板２ａに形成された初期位置復帰用の左右の板状バネ部１０ａ、１０ｂの先端部も上部カード挿入口形成板部７２の左右端部に直接上方から押当てられてカードセレクタ７Ａが直接常時下方に付勢されている。またスロット４に第１のカード１００が挿入され、押上げ位置に押上げられたカードセレクタ７Ａを第１のカード１００が通過する時、第１のカード１００に対してカードセレクタ７Ａの左右の突片部７４ａ，７４ｂが押付けられる。さらにカードセレクタ７Ａは第２のカード２００の左右側面をカード挿抜方向に案内する左右一対のガイド面８１ａ，８１ｂが上部カード挿入口形成板部７２の左右端部から対向状に切起し形成され、天板２ａの下向きの左右の上部ガイド面１１ａ，１１ｂと上部カード挿入口形成板部７２の上向きの左右のガイド面８１ａ，８１ｂとで、上部カード挿入口３５を通過する第２のカード２００の左右側面をカード挿抜方向に案内する構成が付加されている。
【図面の簡単な説明】
【００３８】
【図１】本発明の実施形態に係るカードコネクタの外観斜視図である。
【図２】同カードコネクタのカバーを取外した状態の外観斜視図である。
【図３】セレクタ軸付きのカードセレクタの外観図であり、（ａ）は斜視図、（ｂ）は平面図、（ｃ）は正面図、（ｄ）は右側面図である。
【図４】セレクタ軸付きカードセレクト機構部の平面説明図である。
【図５】同セレクタ軸付きカードセレクト機構部の側面説明図であり、（ａ）は第２のカードの挿入状態を示し、（ｂ）は第１のカードの挿入状態を示す。
【図６】同セレクタ軸付きカードセレクト機構部の正面説明図であり、（ａ）は第２のカードの挿入状態を示し、（ｂ）は第１のカードの挿入状態を示す。
【図７】セレクタ軸なしのカードセレクタの外観図であり、（ａ）は斜視図、（ｂ）は平面図、（ｃ）は正面図、（ｄ）は右側面図である。
【図８】同セレクタ軸なしカードセレクト機構部の側面説明図であり、（ａ）は第２のカードの挿入状態を示し、（ｂ）は第１のカードの挿入状態を示す。
【図９】同セレクタ軸なしカードセレクト機構部の正面説明図であり、（ａ）は第２のカードの挿入状態を示し、（ｂ）は第１のカードの挿入状態を示す。
【符号の説明】
【００３９】
１  ボディ
１ａ  底板
２  カバー
２ａ  天板
３  ハウジング
４  スロット
５  第１コンタクト
６  第２コンタクト
７  カードセレクタ（セレクタ軸付き）
７Ａ  カードセレクタ（セレクタ軸なし）
１０ａ，１０ｂ  初期位置復帰用のバネ部
２０  カード挿入口
３５  上部カード挿入口
３６  下部カード挿入口
７１ａ，７１ｂ  脚部
７２  上部カード挿入口形成板部
７３  導入ガイド部
７４ａ，７４ｂ  突片部
７５ａ，７５ｂ  押上げガイド
７６  セレクタ軸
１００  第１のカード
２００  第２のカード
【図１】
2006032120.tif 000003
【図２】
2006032120.tif 000004
【図３】
2006032120.tif 000005
【図４】
2006032120.tif 000006
【図５】
2006032120.tif 000007
【図６】
2006032120.tif 000008
【図７】
2006032120.tif 000009
【図８】
2006032120.tif 000010
【図９】
2006032120.tif 000011